(57)【要約】【課題】無線フレームにおいてＮＯＭＡが用いられているか否かを明確に認識可能とすること。【解決手段】通信装置は、物理レイヤ（ＰＨＹ）のプリアンブルとデータフィールドとを有する無線フレームを送信または受信する。プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ−Ａ（Ｅｘｔｒｅｍｅｌｙ  Ｈｉｇｈ  Ｔｈｒｏｕｇｈｐｕｔ  Ｓｉｇｎａｌ  Ａ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、ＥＨＴ−ＳＩＧ−Ａは、データフィールドに含まれるデータの伝送においてＮＯＭＡ（非直交多元接続）が使用されるか否かに関する情報が設定されるサブフィールドを含む。【選択図】図６
2020174302.tif 000002
【特許請求の範囲】
【請求項１】
物理レイヤ（ＰＨＹ）のプリアンブルとデータフィールドとを有する無線フレームを送信または受信する通信手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧは、前記データフィールドに含まれるデータの伝送においてＮＯＭＡ（非直交多元接続）が使用されるか否かに関する情報が設定されるサブフィールドを含む、
ことを特徴とする通信装置。
【請求項２】
前記ＥＨＴ−ＳＩＧは、前記データの伝送において前記ＮＯＭＡが用いられる場合に、当該ＮＯＭＡに関するパラメータが設定されるフィールドを含むことを特徴とする請求項１に記載の通信装置。
【請求項３】
前記パラメータが設定されるフィールドは、前記無線フレームを受信する受信装置ごとに設定されることを特徴とする請求項２に記載の通信装置。
【請求項４】
前記パラメータが設定されるフィールドは、前記ＮＯＭＡを用いて多重化された前記データの一次変調方式を示すフィールドを含むことを特徴とする請求項２又は３に記載の通信装置。
【請求項５】
前記パラメータが設定されるフィールドは、前記ＮＯＭＡを用いて多重化された前記データのＭＣＳ（変調及び符号化方式）を示すフィールドを含むことを特徴とする請求項２又は３に記載の通信装置。
【請求項６】
前記パラメータが設定されるフィールドは、前記ＮＯＭＡを用いて多重化された前記データの送信電力を示すフィールドを含むことを特徴とする請求項２から５のいずれか１項に記載の通信装置。
【請求項７】
前記パラメータが設定されるフィールドは、前記ＮＯＭＡを用いて多重化された前記データを取得するためにＳＩＣ（Ｓｕｃｃｅｓｓｉｖｅ  Ｉｎｔｅｒｆｅｒｅｎｃｅ  Ｃａｎｃｅｌｌａｔｉｏｎ）が使用されるべきか否かを示すフィールドを含むことを特徴とする請求項２から６のいずれか１項に記載の通信装置。
【請求項８】
前記無線フレームを受信した受信装置は、前記ＮＯＭＡを用いて多重化された他の受信装置に宛てられたデータに関する情報に基づいて、当該他の受信装置に宛てられた信号成分を除去することにより、前記受信装置に宛てられたデータを取得する、ことを特徴とする請求項７に記載の通信装置。
【請求項９】
前記無線フレームは、ＥＨＴ  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）と、ＥＨＴ  ＥＲ（Ｅｘｔｅｎｄｅｄ  Ｒａｎｇｅ）  ＳＵ  ＰＰＤＵと、ＥＨＴ  ＭＵ（Ｍｕｌｔｉ  Ｕｓｅｒ）  ＰＰＤＵと、のいずれかであることを特徴とする請求項１から８のいずれか１項に記載の通信装置。
【請求項１０】
物理レイヤ（ＰＨＹ）のプリアンブルとデータフィールドとを有する無線フレームを生成する生成手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧは、前記データフィールドに含まれるデータの伝送においてＮＯＭＡ（非直交多元接続）が使用されるか否かに関する情報が設定されるサブフィールドを含む、
ことを特徴とする情報処理装置。
【請求項１１】
通信装置によって実行される通信方法であって、
物理レイヤ（ＰＨＹ）のプリアンブルとデータフィールドとを有する無線フレームを送信または受信する通信工程を含み、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧは、前記データフィールドに含まれるデータの伝送においてＮＯＭＡ（非直交多元接続）が使用されるか否かに関する情報が設定されるサブフィールドを含むことを特徴とする通信方法。
【請求項１２】
情報処理装置によって実行される制御方法であって、
物理レイヤ（ＰＨＹ）のプリアンブルとデータフィールドとを有する無線フレームを生成する生成工程を含み、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧは、前記データフィールドに含まれるデータの伝送においてＮＯＭＡ（非直交多元接続）が使用されるか否かに関する情報が設定されるサブフィールドを含む、
ことを特徴とする制御方法。
【請求項１３】
コンピュータを、請求項１から９のいずれか１項に記載の通信装置または請求項１０に記載の情報処理装置として機能させるためのプログラム。
【発明の詳細な説明】
【技術分野】
【０００１】
本発明は、無線ＬＡＮにおける通信制御技術に関する。
【背景技術】
【０００２】
近年の通信されるデータ量の増加に伴い、無線ＬＡＮ（Ｌｏｃａｌ  Ａｒｅａ  Ｎｅｔｗｏｒｋ）等の通信技術の開発が進められている。無線ＬＡＮの主要な通信規格として、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格シリーズが知られている。ＩＥＥＥ８０２．１１規格シリーズには、ＩＥＥＥ８０２．１１ａ／ｂ／ｇ／ｎ／ａｃ／ａｘ等の規格が含まれる。例えば、最新規格のＩＥＥＥ８０２．１１ａｘでは、ＯＦＤＭＡ（直交周波数多元接続）を用いて、最大９．６ギガビット毎秒（Ｇｂｐｓ）という高いピークスループットに加え、混雑状況下での通信速度を向上させる技術が規格化されている（特許文献１参照）。
【０００３】
一方、さらなるスループット向上のために、ＩＥＥＥ８０２．１１ａｘの後継規格として、ＩＥＥＥ８０２．１１ＥＨＴ（Ｅｘｔｒｅｍｅｌｙ  Ｈｉｇｈ  Ｔｈｒｏｕｇｈｐｕｔ）と呼ばれるＳｔｕｄｙ  Ｇｒｏｕｐが結成されている。ＩＥＥＥ８０２．１１ＥＨＴでは、スループット向上のために、ＮＯＭＡ（非直交多元接続）方式の導入が検討されている。
【先行技術文献】
【特許文献】
【０００４】
【特許文献１】特開２０１８−０５０１３３号公報
【発明の概要】
【発明が解決しようとする課題】
【０００５】
無線フレームを受信した通信装置は、その無線フレームにおいてＮＯＭＡが用いられていることを認識することにより、ＮＯＭＡに対応する無線信号処理を実行することができる。しかしながら、従来の規格においてはＮＯＭＡが使用されていないため、通信装置が、その無線フレームにおいてＮＯＭＡが用いられているか否かを認識するための仕組みも存在していない。
【０００６】
本発明は、無線フレームにおいてＮＯＭＡが用いられているか否かを明確に認識可能とする技術を提供する。
【課題を解決するための手段】
【０００７】
本発明の一態様による通信装置は、物理レイヤ（ＰＨＹ）のプリアンブルとデータフィールドとを有する無線フレームを送信する送信手段を有し、前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧは、前記データフィールドに含まれるデータの伝送においてＮＯＭＡ（非直交多元接続）が使用されるか否かに関する情報が設定されるサブフィールドを含む、ことを特徴とする。
【発明の効果】
【０００８】
本発明によれば、無線フレームにおいてＮＯＭＡが用いられているか否かを明確に認識可能とすることができる。
【図面の簡単な説明】
【０００９】
【図１】ネットワークの構成例を示す図である。
【図２】通信装置のハードウェア構成例を示す図である。
【図３】ＥＨＴ  ＳＵ  ＰＰＤＵのＰＨＹフレーム構造の例を示す図である。
【図４】ＥＨＴ  ＥＲ  ＳＵ  ＰＰＤＵのＰＨＹフレーム構造の例を示す図である。
【図５】ＥＨＴ  ＭＵ  ＰＰＤＵのＰＨＹフレーム構造の例を示す図である。
【図６】ＰＰＤＵを送信する通信装置が実行する処理の流れの例を示す図である。
【図７】ＰＰＤＵを受信する通信装置が実行する処理の流れの例を示す図である。
【発明を実施するための形態】
【００１０】
以下、添付図面を参照して実施形態を詳しく説明する。なお、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
（ネットワーク構成）
図１に、本実施形態の無線通信ネットワークの構成例を示す。本無線通信ネットワークは、１台のアクセスポイント（ＡＰ）と３台のステーション（ＳＴＡ）とを含んで構成される。ここで、ＡＰ１０２とＳＴＡ１０３〜ＳＴＡ１０５は、ＩＥＥＥ８０２．１１ＥＨＴ（Ｅｘｔｒｅｍｅｌｙ  Ｈｉｇｈ  Ｔｈｒｏｕｇｈｐｕｔ）に準拠しており、ＩＥＥＥ８０２．１１ＥＨＴ規格以前に策定された規格に準拠した無線通信を実行可能に構成される。なお、ＩＥＥＥ８０２．１１ＥＨＴという名称は便宜上設けられたものであり、規格が確定した状態において別の名称となりうるが、本明細書及び添付の特許請求の範囲は、後述の処理をサポートしうるすべての規格をカバーすることを予定している。また、ＥＨＴは、Ｅｘｔｒｅｍｅ  Ｈｉｇｈ  Ｔｈｒｏｕｇｈｐｕｔの頭字語と解されてもよい。
【００１２】
以下では、特定の装置を指さない場合等において、参照番号を付さずに、アクセスポイントを「ＡＰ」と呼び、ステーション（端末）を「ＳＴＡ」と呼ぶ場合がある。なお、図１では、一例として１台のＡＰと３台のＳＴＡとを含んだ無線通信ネットワークを示しているが、これらの通信装置の台数は、図示されるより多くても少なくてもよい。一例においては、ＳＴＡ同士の通信が行われる場合、ＡＰが存在しなくてもよい。また、ＡＰ１０２が、Ｗｉ−Ｆｉ（登録商標）  Ｄｉｒｅｃｔ規格に準拠したＧｒｏｕｐ  Ｏｗｎｅｒであり、ＳＴＡ１０３〜ＳＴＡ１０５が、Ｗｉ−Ｆｉ  Ｄｉｒｅｃｔ規格のＣｌｉｅｎｔであってもよい。図１では、ＡＰ１０２が形成するネットワークの通信可能範囲が円１０１によって示されている。なお、この通信可能範囲は、より広い範囲をカバーしてもよいし、より狭い範囲のみをカバーしてもよい。
【００１３】
本実施形態では、ＡＰ１０２とＳＴＡ１０３〜ＳＴＡ１０５との間でのデータの送受信に、ＮＯＭＡ方式が使用されうるものとする。ＮＯＭＡは、Ｎｏｎ−Ｏｒｔｈｏｇｏｎａｌ  Ｍｕｌｔｉｐｌｅ  Ａｃｃｅｓｓ（非直交多元接続）の頭字語である。ＮＯＭＡ方式が用いられた通信においては、適切に電力が割り当てられた（互いに直交しない）独立な複数の信号が、同時刻において並行して、共通の周波数チャネルを用いて伝送される。これにより、無線リソースが有効活用され、システム全体としてのスループットを向上させることができる。
【００１４】
（装置の構成）
図２は、通信装置（ＡＰ及びＳＴＡ）のハードウェア構成例を示す。通信装置は、その構成の一例として、記憶部２０１、制御部２０２、機能部２０３、入力部２０４、出力部２０５、通信部２０６、及びアンテナ２０７を有する。
【００１５】
記憶部２０１は、例えば、ＲＯＭ、ＲＡＭの両方、または、いずれか一方などの１つ以上のメモリにより構成され、後述する各種動作を行うためのプログラムや、無線通信のための通信パラメータ等の各種情報を記憶する。なお、記憶部２０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体が用いられてもよい。
【００１６】
制御部２０２は、例えば、ＣＰＵやＭＰＵ等の１つ以上のプロセッサ、ＡＳＩＣ（特定用途向け集積回路）、ＤＳＰ（デジタルシグナルプロセッサ）、ＦＰＧＡ（フィールドプログラマブルゲートアレイ）等により構成される。なお、プロセッサは、シングルコアプロセッサであってもよいし、マルチコアプロセッサであってもよい。ここで、ＣＰＵはＣｅｎｔｒａｌ  Ｐｒｏｃｅｓｓｉｎｇ  Ｕｎｉｔの、ＭＰＵは、Ｍｉｃｒｏ  Ｐｒｏｃｅｓｓｉｎｇ  Ｕｎｉｔの頭字語である。制御部２０２は、記憶部２０１に記憶されたプログラムを実行することにより装置全体を制御する。なお、制御部２０２は、記憶部２０１に記憶されたプログラムとＯＳ（Ｏｐｅｒａｔｉｎｇ  Ｓｙｓｔｅｍ）との協働により装置全体を制御するようにしてもよい。
【００１７】
また、制御部２０２は、機能部２０３を制御して、撮像や印刷、投影等の所定の処理を実行する。機能部２０３は、装置が所定の処理を実行するためのハードウェアである。例えば、装置がカメラである場合、機能部２０３は撮像部であり、撮像処理を行う。また、例えば、装置がプリンタである場合、機能部２０３は印刷部であり、印刷処理を行う。また、例えば、装置がプロジェクタである場合、機能部２０３は投影部であり、投影処理を行う。機能部２０３が処理するデータは、記憶部２０１に記憶されているデータであってもよいし、後述する通信部２０６を介して他のＡＰやＳＴＡと通信したデータであってもよい。
【００１８】
入力部２０４は、ユーザからの各種操作の受付を行う。出力部２０５は、ユーザに対して各種出力を行う。ここで、出力部２０５による出力とは、例えば、画面上への表示や、スピーカによる音声出力、振動出力等の少なくとも１つを含む。なお、タッチパネルのように入力部２０４と出力部２０５の両方を１つのモジュールで実現するようにしてもよい。
【００１９】
通信部２０６は、ＩＥＥＥ８０２．１１規格シリーズに準拠した無線通信の制御や、ＩＰ（Ｉｎｔｅｒｎｅｔ  Ｐｒｏｔｏｃｏｌ）通信の制御を行う。通信部２０６は、いわゆる無線チップであり、それ自体が１つ以上のプロセッサやメモリを含んでいてもよい。本実施形態では、通信部２０６は、少なくともＩＥＥＥ８０２．１１ＥＨＴ規格に準拠した処理を実行することができる。また、通信部２０６はアンテナ２０７を制御して、無線通信のための無線信号の送受信を行う。装置は、通信部２０６を介して、画像データや文書データ、映像データ等のコンテンツを他の通信装置と通信する。アンテナ２０７は、例えば、サブＧＨｚ帯、２．４ＧＨｚ帯、５ＧＨｚ帯、及び６ＧＨｚ帯の少なくともいずれかを送受信可能なアンテナである。なお、アンテナ２０７によって対応可能な周波数帯（及びその組み合わせ）については特に限定されない。アンテナ２０７は、１本のアンテナであってもよいし、ＭＩＭＯ（Ｍｕｌｔｉ−Ｉｎｐｕｔ  ａｎｄ  Ｍｕｌｔｉ−Ｏｕｔｐｕｔ）送受信を行うために、図２に示すように、２本以上のアンテナのセットであってもよい。また、アンテナ２０７は、例えばそれぞれ異なる周波数帯に対応可能な２本以上（２セット以上）によって構成されてもよい。
【００２０】
（フレーム構造）
ＩＥＥＥ８０２．１１ＥＨＴ規格で定められた無線フレーム（ＰＰＤＵ、Ｐｈｙｓｉｃａｌ  ｌａｙｅｒ  （ＰＨＹ）  Ｐｒｏｔｏｃｏｌ  Ｄａｔａ  Ｕｎｉｔ）の例を図３〜図５に示す。図３は、シングルユーザ通信用のＰＰＤＵであるＥＨＴ  ＳＵ（Ｓｉｎｇｌｅ  Ｕｓｅｒ）  ＰＰＤＵの例を示し、図４は、長距離伝送用のＥＨＴ  ＥＲ（Ｅｘｔｅｎｄｅｄ  Ｒａｎｇｅ）  ＳＵ  ＰＰＤＵの例を示している。ＥＨＴ  ＥＲ  ＳＵ  ＰＰＤＵは、ＡＰと単一のＳＴＡとの間での通信において、通信範囲を拡張すべき場合に用いられる。また、図５は、マルチユーザ通信用のＥＨＴ  ＭＵ（Ｍｕｌｔｉ  Ｕｓｅｒ）  ＰＰＤＵの例を示している。
【００２１】
ＰＰＤＵは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（Ｓｉｇｎａｌ  Ｆｉｅｌｄ）の各フィールドを含む。図３に示すように、ＰＰＤＵ先頭部には、ＩＥＥＥ８０２．１１ａ／ｂ／ｇ／ｎ／ａｘ規格に対して後方互換性を確保するための、Ｌ（Ｌｅｇａｃｙ）−ＳＴＦ３０１、Ｌ−ＬＴＦ３０２、及びＬ−ＳＩＧ３０３を有する。なお、図４及び図５のフレームフォーマットにおいても、Ｌ−ＳＴＦ（Ｌ−ＳＴＦ４０１、５０１）、Ｌ−ＬＴＦ（Ｌ−ＬＴＦ４０２、５０２）、Ｌ−ＳＩＧ（Ｌ−ＳＩＧ４０３、５０３）が含まれる。なお、Ｌ−ＬＴＦはＬ−ＳＴＦの直後に配置され、Ｌ−ＳＩＧはＬ−ＬＴＦの直後に配置される。なお、図３〜図５の構成では、さらに、Ｌ−ＳＩＧの直後に配置されるＲＬ−ＳＩＧ（Ｒｅｐｅａｔｅｄ  Ｌ−ＳＩＧ、ＲＬ−ＳＩＧ３０４、４０４、５０４）が含まれる。ＲＬ−ＳＩＧフィールドでは、Ｌ−ＳＩＧの内容が繰り返し送信される。ＲＬ−ＳＩＧは、ＩＥＥＥ８０２．１１ａｘ規格以降の規格に準拠したＰＰＤＵであることを受信者が認識することができるようにするものであり、場合によってはＩＥＥＥ８０２．１１ＥＨＴにおいては省略されてもよい。また、ＲＬ−ＳＩＧに代えて、ＩＥＥＥ８０２．１１ＥＨＴのＰＰＤＵであることを受信者が認識可能とするためのフィールドが設けられてもよい。
【００２２】
Ｌ−ＳＴＦ３０１は、物理レイヤ（ＰＨＹ）フレーム信号の検出、自動利得制御（ＡＧＣ：Ａｕｔｏｍａｔｉｃ  Ｇａｉｎ  Ｃｏｎｔｒｏｌ）やタイミング検出などに用いられる。Ｌ−ＬＴＦ３０２は、周波数・時刻の高精度な同期や伝搬チャネル情報（ＣＳＩ：ｃｈａｎｎｎｅｌ  ｓｔａｔｅ  ｉｎｆｏｒｍａｔｉｏｎ）の取得等に用いられる。Ｌ−ＳＩＧ３０３は、物理層データレート、ＭＣＳ（変調及び符号化方式）、ＰＨＹフレーム長等の情報を含んだ制御情報を送信するために用いられる。ＩＥＥＥ８０２．１１ａ／ｂ／ｇ／ｎ／ａｘ規格に従うレガシー機器（Ｎｏｎ−ＥＨＴ機器）は、上記各種レガシーフィールドを復号することができる。
【００２３】
各ＰＰＤＵは、さらに、ＲＬ−ＳＩＧの直後に配置される、ＥＨＴ用の制御情報を送信するためのＥＨＴ−ＳＩＧ（ＥＨＴ−ＳＩＧ−Ａ３０５、ＥＨＴ−ＳＩＧ−Ａ４０５、ＥＨＴ−ＳＩＧ−Ａ５０５、ＥＨＴ−ＳＩＧ−Ｂ５０６）を含む。ＥＨＴ−ＳＩＧフィールドは、ＥＨＴ  ＰＰＤＵの受信処理に用いられる。また、各ＰＰＤＵは、ＥＨＴ用のＳＴＦ（ＥＨＴ−ＳＴＦ３０６、４０６、５０７）、ＥＨＴ用のＬＴＦ（ＥＨＴ−ＬＴＦ３０７、４０７、５０８）を有する。各ＰＰＤＵでは、これらの制御用のフィールドの後にデータフィールド３０８、４０８、５０９と、Ｐａｃｋｅｔ  ｅｘｔｅｎｔｉｏｎフィールド３０９、４０９、５１０を有する。各ＰＰＤＵのＬ−ＳＴＦからＥＨＴ−ＬＴＦまでのフィールドが、ＰＨＹプリアンブルと呼ばれる。なお、ＰＰＤＵの各フィールドは、必ずしも図３〜図５に示す順番に並んでいなくてもよいし、図３〜図５に示していない新規のフィールドを含んでいてもよい。
【００２４】
なお、図３〜図５は、一例として、後方互換性を確保可能なＰＰＤＵを示しているが、後方互換性を確保する必要がない場合には、例えば、レガシーフィールドが省略されてもよい。この場合、例えば、同期の確立のために、Ｌ−ＳＴＦ及びＬ−ＬＴＦに代えて、ＥＨＴ−ＳＴＦやＥＨＴ−ＬＴＦが用いられる。そして、この場合、ＥＨＴ−ＳＩＧフィールドの後のＥＨＴ−ＳＴＦや複数のＥＨＴ−ＬＴＦのうちの１つが省略されうる。
【００２５】
ＥＨＴ  ＳＵ  ＰＰＤＵ及びＥＨＴ  ＥＲ  ＳＵ  ＰＰＤＵに含まれるＥＨＴ−ＳＩＧ−Ａ３０５及び４０５は、以下の表１及び表２に示すように、ＰＰＤＵの受信に必要なＥＨＴ−ＳＩＧ−Ａ１とＥＨＴ−ＳＩＧ−Ａ２とを含む。本実施形態では、そのＰＰＤＵにおけるデータフィールドに含まれるデータの伝送においてＮＯＭＡが使用されるか否かを示す「ＮＯＭＡ」サブフィールドを、ＥＨＴ−ＳＩＧ−Ａ１とＥＨＴ−ＳＩＧ−Ａ２との少なくともいずれかに含める。例えば、ＥＨＴ−ＳＩＧ−Ａ１にＮＯＭＡサブフィールドが設定される場合は、ＥＨＴ−ＳＩＧ−Ａ２にはＮＯＭＡサブフィールドが設定されなくてもよい。また、ＥＨＴ−ＳＩＧ−Ａ２にＮＯＭＡサブフィールドが設定される場合は、ＥＨＴ−ＳＩＧ−Ａ１にはＮＯＭＡサブフィールドが設定されなくてもよい。さらに、ＥＨＴ−ＳＩＧ−Ａ１とＥＨＴ−ＳＩＧ−Ａ２の両方にＮＯＭＡサブフィールドが設定されてもよい。また、図５のＥＨＴ  ＭＵ  ＰＰＤＵのＥＨＴ−ＳＩＧ−Ａ５０５は、以下の表３及び表４に示すように、ＰＰＤＵの受信に必要なＥＨＴ−ＳＩＧ−Ａ１とＥＨＴ−ＳＩＧ−Ａ２とを含む。本実施形態のＥＨＴ  ＭＵ  ＰＰＤＵでは、上述のようなＮＯＭＡサブフィールドを、ＥＨＴ−ＳＩＧ−Ａ２に含める。そして、例えば、ＮＯＭＡが使用される場合には、このＮＯＭＡサブフィールドに１が設定され、ＮＯＭＡが使用されない場合には、このＮＯＭＡサブフィールドに０が設定される。ただし、これは一例に過ぎず、この逆に、ＮＯＭＡが使用される場合には、このＮＯＭＡサブフィールドに０を設定し、ＮＯＭＡが使用されない場合には、このＮＯＭＡサブフィールドに１を設定してもよい。なお、ＮＯＭＡが使用されることを示す値がＮＯＭＡサブフィールドに設定されている場合、その後のデータフィールドに含まれるデータがＮＯＭＡ方式で多重化されていることとなる。一方、ＮＯＭＡが使用されないことを示す値がＮＯＭＡサブフィールドに設定されている場合、その後のデータフィールドに含まれるデータはＮＯＭＡ方式で多重化されたものではないこととなる。これによれば、ＥＨＴ−ＳＩＧフィールドを含んだＰＰＤＵを送信する通信装置は、フレームの形状を変化させずに、このＰＰＤＵを受信する通信装置に対してＮＯＭＡに関する情報を通知することができる。
【００２６】
なお、表１〜表４の構成については一例に過ぎず、他の構成が用いられてもよい。例えば、ＥＨＴ  ＳＵ  ＰＰＤＵ及びＥＨＴ  ＥＲ  ＳＵ  ＰＰＤＵにおいて、ＥＨＴ−ＳＩＧ−Ａ１フィールドやＥＨＴ−ＳＩＧ−Ａ２フィールドの１５番目のビット以外の位置で、このＮＯＭＡの情報が通知されてもよい。同様に、ＥＨＴ  ＭＵ  ＰＰＤＵにおいて、ＥＨＴ−ＳＩＧ−Ａ２フィールドの８番目のビット以外の位置で、このＮＯＭＡの情報が通知されてもよい。また、フィールドの名前や内容も、表１〜表４に示されるものと異なっていてもよい。
【００２７】
【表１】
2020174302.tif 000003
【００２８】
【表２】
2020174302.tif 000004
【００２９】
【表３】
2020174302.tif 000005
【００３０】
【表４】
2020174302.tif 000006
【００３１】
なお、各ＰＰＤＵは、例えば上述のＥＨＴ−ＳＩＧ−Ａフィールドに加えて、別個のフィールドを有してもよい。ここでは、このフィールドを、ＥＨＴ−ＳＩＧ−ｘフィールドと呼ぶ。ＥＨＴ−ＳＩＧ−ｘフィールドは、ＮＯＭＡ方式に関するパラメータを指定するサブフィールドを含みうる。また、ＥＨＴ−ＳＩＧ−ｘフィールドは、その他の情報を含んでもよい。ＥＨＴ−ＳＩＧ−ｘフィールドに格納される情報の例を表５に示す。
【００３２】
【表５】
2020174302.tif 000007
【００３３】
ＥＨＴ−ＳＩＧ−ｘは、ＥＨＴ−ＳＩＧ−Ａに格納されると上述したＮＯＭＡサブフィールドを含みうる。なお、ＥＨＴ−ＳＩＧ−ｘにおいてＮＯＭＡサブフィールドが設定される場合には、上述のＥＨＴ−ＳＩＧ−Ａには、ＮＯＭＡサブフィールドが設定されなくてもよいし、設定されてもよい。
【００３４】
ＥＨＴ−ＳＩＧ−ｘは、データの宛先（Ｄｅｓｔｉｎａｔｉｏｎ）ごとに１つの構造化されたサブフィールドを含みうる。以下、このサブフィールドをＤｅｓｔｉｎａｔｉｏｎ＿ｙサブフィールドと呼ぶ（ただし、ｙは０以上の整数）。１つのＤｅｓｔｉｎａｔｉｏｎ＿ｙサブフィールドは、１つのＯＦＤＭシンボルによって構成されてもよいし、複数のＯＦＤＭシンボルによって構成されてもよい。１つ以上のＤｅｓｔｉｎａｔｉｏｎ＿ｙサブフィールドのそれぞれは、宛先となるＳＴＡのＩＤ（識別子）と、ＳＩＣ（逐次干渉除去）の要否と、使用されるＭＣＳ（変調及び符号化方式）インデクスと、送信電力を示すフィールドとを含みうる。以下では、これらのフィールドを、それぞれ、ＩＤフィールド、ＳＩＣフィールド、ＭＣＳフィールド、ＴＸ  ｐｏｗｅｒフィールドと呼ぶ。
【００３５】
ＩＤフィールドは、ＳＴＡを識別可能なビット数（例えば、１１ｂｉｔ）のフィールドであり、このＤｅｓｔｉｎａｔｉｏｎ＿ｙサブフィールドに対応するＳＴＡの識別子が格納される。なお、ＳＴＡの識別子に代えて、１つ以上のＳＴＡが含まれるグループの識別子がＩＤフィールドに格納されてもよい。
【００３６】
ＳＩＣフィールドは、逐次干渉除去（Ｓｕｃｃｅｓｓｉｖｅ  Ｉｎｔｅｒｆｅｒｅｎｃｅ  Ｃａｎｃｅｌｌａｔｉｏｎ）の適用が必要であるか否かを示すフィールドであり、１ｂｉｔ以上のフィールドとして構成される。例えば、ＰＰＤＵを送信する通信装置は、ＳＩＣフィールドが１ｂｉｔで構成される場合に、ＳＩＣフィールドに１を格納することにより、このＤｅｓｔｉｎａｔｉｏｎ＿ｙサブフィールドに対応するＳＴＡにおいてＳＩＣを使用する必要があることを示す。また、通信装置は、ＳＩＣフィールドに０を格納することにより、このＤｅｓｔｉｎａｔｉｏｎ＿ｙサブフィールドに対応するＳＴＡにおいてＳＩＣを使用する必要がないことを示す。
【００３７】
ＭＣＳフィールドは、ＥＨＴ規格においてＮＯＭＡ方式でデータを送信する場合に使用可能なＭＣＳを一意に特定することができるビット数のフィールドである。例えば、ＭＣＳフィールドは、ｃｅｉｌ｛ｌｏｇ2（ＮＯＭＡ方式でのデータ送信に使用可能なＭＣＳの種類の数）｝ビットのフィールドとして構成される。ここで、ｃｅｉｌ（ｘ）は、ｘを引数とする天井関数であり、ｘ以上の最小の整数を返す関数である。このビット数は、ＮＯＭＡ方式でデータを伝送する場合に使用されるＭＣＳの種類の数が、ＮＯＭＡ方式が用いられない場合のＭＣＳの種類の数と等しい場合、４ｂｉｔ以上、または５ｂｉｔ以上でありうる。一方、ＮＯＭＡ方式でデータを伝送する場合に使用されるＭＣＳの種類の数が、ＮＯＭＡ方式が用いられない場合のＭＣＳの種類の数より少ない場合、このフィールドのビット数は４ｂｉｔ以下でありうる。また、ＭＣＳフィールドが一次変調方式のみを示す場合、ＥＨＴ規格においてＮＯＭＡ方式でデータを送信する場合に使用可能な一次変調方式を一意に特定することができるビット数のフィールドとしてＭＣＳフィールドが構成されうる。最小の場合、ｃｅｉｌ（ｌｏｇ2（ＮＯＭＡ方式でのデータ送信に使用可能な一次変調方式の種類の数））である。例えば、一次変調方式がＢＰＳＫ、ＱＰＳＫ、１６ＱＡＭ、６４ＱＡＭ、２５６ＱＡＭ、１０２４ＱＡＭ、と４０９６ＱＡＭの７種類である場合、ＭＣＳフィールドは、最小で３ｂｉｔのフィールドとして構成されうる。一方、ＢＰＳＫとＱＰＳＫの２種類のみが使用可能である場合は、ＭＣＳフィールドの最小ビット数は１ｂｉｔとなる。また、ＢＰＳＫ、ＱＰＳＫ、と１６ＱＡＭの３種類のみが使用可能である場合は、ＭＣＳフィールドの最小ビット数は２ｂｉｔとなる。
【００３８】
ＴＸ  ｐｏｗｅｒフィールドは、データフィールドに含まれるデータの送信電力のうち、このＤｅｓｔｉｎａｔｉｏｎ＿ｙサブフィールドに対応するＳＴＡ（又はＳＴＡのグループ）に割り当てられている電力の割合を示す。このフィールドは、このＤｅｓｔｉｎａｔｉｏｎ＿ｙサブフィールドに対応するＳＴＡまたはグループに割り当てられた電力の絶対値を示してもよいし、ＳＩＣを実行するために必要な電力の相対値を示してもよい。また、電力の絶対値に対応するインデクス等、他の形式で電力が示されてもよい。電力値は、浮動小数点型または整数型定数として示されてもよい。これらの場合、ＴＸ  ｐｏｗｅｒフィールドのビット数は、例えば、８ｂｉｔ、１６ｂｉｔ、３２ｂｉｔ、または６４ｂｉｔでありうる。また、電力値は、より少ないビット数に符号化されて示されてもよい。例えば、ＴＸ  ｐｏｗｅｒフィールドが、このＤｅｓｔｉｎａｔｉｏｎ＿ｙサブフィールドに対応するＳＴＡまたはグループに割り当てられる電力の割合を示す場合、そのビット数の最小値はｃｅｉｌ（ｌｏｇ2（割合の種類の数））となりうる。例えば、割合の種類が０．１＋０．１＊ｉ（ｉ＝０、１、・・・、８）の９種類である場合、ＴＸ  ｐｏｗｅｒフィールドは、最小で４ビットのフィールドとして構成されうる。
【００３９】
なお、これらのパラメータは一例であり、これらの一部のみが各Ｄｅｓｔｉｎａｔｉｏｎ＿ｙサブフィールドに格納されてもよいし、これら以外のパラメータを示す値が各Ｄｅｓｔｉｎａｔｉｏｎ＿ｙサブフィールドに格納されてもよい。また、ＮＯＭＡ方式に関するパラメータが事前に決定されている固定値である場合や、そのようなパラメータを受信処理において使用しない場合、ＮＯＭＡ方式に関するパラメータを示すフィールドは存在しなくてもよい。
【００４０】
なお、図示しないが、ＥＨＴ  ＭＵ  ＰＰＤＵのＥＨＴ−ＳＩＧ−Ｂには、ＰＰＤＵの受信に必要なＣｏｍｍｏｎフィールドやＵｓｅｒ  Ｂｌｏｃｋフィールドの情報が含まれる。このとき、例えばユーザ（受信装置）ごとの情報を格納することができるＵｓｅｒ  Ｂｌｏｃｋフィールド内に、上述のＥＨＴ−ＳＩＧ−ｘの情報が格納されてもよい。すなわち、上述のような、ＩＤ、ＳＩＣ、ＭＣＳ、ＴＸ  ｐｏｗｅｒ等の受信装置ごとの情報を、Ｕｓｅｒ  Ｂｌｏｃｋフィールドを用いて送受信することができる。また、ＮＯＭＡが使用されているか否かを示すためのＮＯＭＡサブフィールドを、Ｃｏｍｍｏｎフィールドにおいて設定してもよい。また、ＮＯＭＡサブフィールドが、Ｕｓｅｒ  Ｂｌｏｃｋフィールドに設定され、受信装置ごとにＮＯＭＡが使用されているか否かを設定してもよい。例えば、空間分離可能な受信装置に対してはＮＯＭＡを使用せず、空間分離が困難な又は空間分離によっては十分な品質を得ることができない２つ以上の受信装置に対してはＮＯＭＡを使用するようにしてもよい。
【００４１】
上述のようなＰＰＤＵを受信した通信装置は、ＮＯＭＡフィールドに基づいて、ＮＯＭＡが使用されているか否かを確認し、ＮＯＭＡ方式に関するパラメータを取得することができる。そして、通信装置は、取得したパラメータを用いて、ＮＯＭＡ方式で多重化されているデータを、他のデータから分離して復調することができる。
【００４２】
（処理の流れ）
次に、無線フレームを送信する通信装置（送信装置）によって実行される処理の流れの例について図６を用いて説明する。本処理は、送信装置の記憶部２０１に記憶されたプログラムを制御部２０２が読み出して実行することによって実現される。送信装置の制御部２０２は、データフィールドに含めるデータを生成する（Ｓ６０１）。そして、送信装置は、送信対象のＰＰＤＵのデータフィールドの多重化に、ＮＯＭＡを使用するか否かを判定する（Ｓ６０２）。そして、通信装置は、ＮＯＭＡを使用すると判定した場合に（Ｓ６０２でＹＥＳ）、ＥＨＴ−ＳＩＧフィールドのＮＯＭＡサブフィールドの値を「１」に設定してＰＨＹプリアンブルを生成する（Ｓ６０３）。一方、通信装置は、ＮＯＭＡを使用しないと判定した場合に（Ｓ６０２でＮＯ）、ＥＨＴ−ＳＩＧフィールドのＮＯＭＡサブフィールドの値を「０」に設定してＰＨＹプリアンブルを生成する（Ｓ６０４）。そして、送信装置の通信部２０６は、Ｓ６０１で生成されたデータと、Ｓ６０３又はＳ６０４で生成したＰＨＹプリアンブルとを含む無線フレームを生成して、アンテナ２０７を介して、生成した無線フレームを送信する（Ｓ６０５）。
【００４３】
次に、無線フレーム受信する通信装置（受信装置）によって実行される処理の流れの例について図７を用いて説明する。本処理は、受信装置の記憶部２０１に記憶されたプログラムを制御部２０２が読み出して実行することによって実現される。受信装置の通信部２０６は、送信装置から、上述のフレーム構成を有するＥＨＴ  ＰＰＤＵを受信する（Ｓ７０１）。そして、受信装置の制御部２０２と通信部２０６との少なくともいずれかは、ＰＨＹプリアンブルのＥＨＴ−ＳＩＧに含まれるＮＯＭＡサブフィールドを参照し、データの多重化にＮＯＭＡが使用されているか否かを判定する（Ｓ７０２）。そして、受信装置は、ＮＯＭＡが使用されていると判定した場合（Ｓ７０２でＹＥＳ）、ＮＯＭＡ方式によるデータの分離・復調等の受信処理を実行する（Ｓ７０３）。
【００４４】
例えば、受信装置は、Ｄｅｓｔｉｎａｔｉｏｎ＿ｙサブフィールド内のＩＤフィールドを参照し、自装置に対応するＤｅｓｔｉｎａｔｉｏｎ＿ｙサブフィールドを特定する。そして、受信装置は、自装置に対応するＤｅｓｔｉｎａｔｉｏｎ＿ｙサブフィールド内のＳＩＣフィールドを参照する。受信装置は、ＳＩＣフィールドにＳＩＣが必要であることを示す値が格納されている場合、他の受信装置に対応するＤｅｓｔｉｎａｔｉｏｎ＿ｙサブフィールド内のＭＣＳフィールドの値に基づいて逐次干渉除去手順を実行し、自装置宛のデータを取得する。すなわち、受信装置は、例えば他の受信装置の変調方式等を用いてこの他の受信装置宛ての信号成分の復調等を行った上でその信号成分のレプリカを受信信号から減算し、他の受信装置宛ての信号成分を除去した信号成分を取得する。受信装置は、このような信号成分の除去を、主要な（例えば自装置より送信電力の大きい）他の通信装置宛ての信号成分に対して繰り返し実行することにより、自装置宛ての信号成分が主要成分となる信号成分を取得することができる。受信装置は、この他の受信装置宛ての信号成分が除去された結果の信号成分を用いることにより、干渉の影響が除去された状態での復調等の処理を行うことができるようになる。このとき、受信装置は、自装置及び他の受信装置に対応するＤｅｓｔｉｎａｔｉｏｎ＿ｙサブフィールド内のＴＸ  ｐｏｗｅｒフィールドを参照してもよい。そして、例えば、このフィールドの値を用いて、除去対象の信号のパイロット信号の大きさを補正してもよい。これにより除去対象の信号をより精度よく等化、復調し、除去することができる。なお、受信装置は、自装置に対応するＤｅｓｔｉｎａｔｉｏｎ＿ｙサブフィールド内のＳＩＣフィールドの値が、ＳＩＣが不要であることを示している場合、ＳＩＣを実行せずに自装置宛のデータを取得する。なお、このときも、受信装置は、自装置及び他の受信装置に対応するＤｅｓｔｉｎａｔｉｏｎ＿ｙサブフィールド内のＴＸ  ｐｏｗｅｒフィールドを参照してもよい。そして、例えば、このフィールドの値を用いて、パイロット信号の大きさを補正してもよい。これにより信号をより精度よく等化し、復調することができる。なお、受信装置は、事前に定められたパラメータを用いる場合や、事前に定められた手順が用いられる場合には、これらのパラメータの参照処理を実行することなく、自装置宛てのデータを取得するための受信処理を実行しうる。
【００４５】
受信装置は、ＮＯＭＡが使用されていないと判定した場合（Ｓ７０２でＮＯ）、ＮＯＭＡ方式と異なる方式（例えばＯＭＡ（直交多元接続）方式）によるデータの分離・復調等の受信処理を実行して、自装置宛てのデータを取得する（Ｓ７０４）。受信装置は、このようにして得られたデータに基づいて、例えば、出力制御（データの表示や印刷等）等の各種制御を行うことができる。
【００４６】
以上のようにして、通信装置は、無線フレーム内のデータフィールドに含まれるデータの多重化にＮＯＭＡを用いているか否かを、その無線フレーム内のＰＨＹプリアンブルによって示すことができる。これによれば、この無線フレームを受信した相手装置が、その無線フレーム内のデータがＮＯＭＡ方式によって多重化されているかを迅速に認識することができるようになり、適切なデータ取得処理（受信処理）を実行することができるようになる。また、上述の例では、一次変調方式またはＭＣＳインデックスや送信電力等のパラメータをＰＨＹプリアンブルに含めることによって、通信装置は、ＮＯＭＡ方式での通信において多様なパラメータを使用することができる。また、ＰＨＹプリアンブルにＳＩＣの要否を示すフィールドを含めることにより、通信装置は、無線フレームごとに、ＳＩＣを実行すべき受信装置を変更することができる。これらによれば、送信装置と受信装置との間で、多様な伝送路環境とその変化に適応した、適切な通信を実行することができるようになる。なお、通信装置であるＡＰ１０２やＳＴＡ１０３〜１０５の他、上記のＰＨＹプリアンブルを生成する情報処理装置（例えば、無線チップ）により、本発明を実施することも可能である。
【００４７】
なお、ＡＰ１０２が送信するビーコンやＰｒｏｂｅ  Ｒｅｓｐｏｎｓｅ、ＳＴＡが送信するＰｒｏｂｅ  Ｒｅｑｕｅｓｔ等の所定の無線フレームのＰＨＹプリアンブルが、レガシーフィールドを含むが、ＥＨＴ−ＳＩＧを含まないように構成されてもよい。また、所定の無線フレームのＰＨＹプリアンブルが、ＥＨＴ−ＳＩＧを含むが、ＮＯＭＡサブフィールドを含まないように構成されてもよい。このように、無線フレームの種類に応じて、ＥＨＴ−ＳＩＧを配置するか否かや、ＥＨＴ−ＳＩＧの中にＮＯＭＡ方式に関するフィールドを配置するか否かを切り替えてもよい。
【００４８】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００４９】
発明は上記実施形態に制限されるものではなく、発明の精神及び範囲から離脱することなく、様々な変更及び変形が可能である。従って、発明の範囲を公にするために請求項を添付する。
【符号の説明】
【００５０】
２０１：記憶部、２０２：制御部、２０６：通信部、２０７：アンテナ
【図１】
2020174302.tif 000008
【図２】
2020174302.tif 000009
【図３】
2020174302.tif 000010
【図４】
2020174302.tif 000011
【図５】
2020174302.tif 000012
【図６】
2020174302.tif 000013
【図７】
2020174302.tif 000014